(57)【特許請求の範囲】
【請求項１】
位置が相違する複数の送信アンテナの一個から選択的に無線送信される通信電波を固定された位置で無線受信して電気信号に変換する固定アンテナと、
該固定アンテナとは相違する位置を走査移動されながら通信電波を無線受信して電気信号に変換する走査アンテナと、
前記固定アンテナと前記走査アンテナとが出力する電気信号を干渉させて干渉信号を生成する信号干渉手段と、
該信号干渉手段により生成された干渉信号に基づいてホログラム原理により通信状態を観測する２つの観測実行手段と、
前記固定アンテナが出力する電気信号の振幅の変化を検出する変化検出手段と、
該変化検出手段の検出に対応して前記２つの観測実行手段に対して観測に利用する干渉信号を切り換えて出力する信号切換手段と、を具備している通信観測装置。
【請求項２】
位置が相違する複数の送信アンテナの一個から選択的に無線送信される通信電波を各々固定された複数の位置で無線受信して電気信号に変換する複数の固定アンテナと、
該固定アンテナとは相違する位置を走査移動されながら通信電波を無線受信して電気信号に変換する走査アンテナと、
複数の前記固定アンテナの少なくとも一個と前記走査アンテナとが出力する電気信号を干渉させて干渉信号を生成する信号干渉手段と、
該信号干渉手段により生成された干渉信号に基づいてホログラム原理により通信状態を観測する２つの観測実行手段と、
複数の前記固定アンテナが個々に出力する電気信号の位相の差分の変化を検出する変化検出手段と、
該変化検出手段の検出に対応して前記２つの観測実行手段に対して観測に利用する干渉信号を切り換えて出力する信号切換手段と、を具備している通信観測装置。
【請求項３】
前記変化検出手段が、
複数の前記固定アンテナが個々に出力する電気信号を干渉させて第二の干渉信号を生成する第二の信号干渉手段と、
該第二の信号干渉手段により生成された第二の干渉信号から複数の電気信号の位相の差分の変化を検出する信号処理手段と、を具備している請求項２記載の通信観測装置。
【請求項４】
前記固定アンテナが出力する電気信号を復調する信号復調手段と、
該信号復調手段の復調結果に対応して前記信号切換手段の切換動作を制御する動作制御手段とを、さらに具備している請求項１ないし３の何れか一通信観測装置。
【請求項５】
位置が相違する複数の送信アンテナの一個から選択的に無線送信される通信電波を、位置が固定された固定アンテナにより無線受信して電気信号に変換するとともに、走査移動する走査アンテナにより無線受信して電気信号に変換し、前記固定アンテナと前記走査アンテナとが出力する電気信号を干渉させて干渉信号を生成し、２つの観測実行手段にてこの干渉信号に基づいてホログラム原理により通信状態を観測する通信観測方法において、
前記固定アンテナが出力する電気信号の振幅の変化を検出し、
この検出に対応して通信状態の観測に利用する干渉信号を前記２つの観測実行手段に対して切り換えて出力するようにした通信観測方法。
【請求項６】
位置が相違する複数の送信アンテナの一個から選択的に無線送信される通信電波を、位置が固定された固定アンテナにより無線受信して電気信号に変換するとともに、走査移動する走査アンテナにより無線受信して電気信号に変換し、前記固定アンテナと前記走査アンテナとが出力する電気信号を干渉させて干渉信号を生成し、２つの観測実行手段にてこの干渉信号に基づいてホログラム原理により通信状態を観測する通信観測方法において、
前記固定アンテナを相互に位置が相違する複数とし、
複数の前記固定アンテナが個々に出力する電気信号の位相の差分の変化を検出し、
この検出に対応して通信状態の観測に利用する干渉信号を前記２つの観測実行手段に対して切り換えて出力するようにした通信観測方法。
【請求項７】
位置が相違する複数の送信アンテナの一個から選択的に無線送信される通信電波を、位置が固定された固定アンテナにより無線受信して電気信号に変換するとともに、走査移動する走査アンテナにより無線受信して電気信号に変換し、前記固定アンテナと前記走査アンテナとが出力する電気信号を干渉させて干渉信号を生成し、２つの観測実行手段にてこの干渉信号に基づいてホログラム原理により通信状態を観測する通信観測方法において、
前記固定アンテナを相互に位置が相違する複数とし、
複数の前記固定アンテナが個々に出力する電気信号を干渉させて第二の干渉信号を生成し、
この第二の干渉信号から複数の電気信号の位相の差分の変化を検出し、この検出に対応して通信状態の観測に利用する干渉信号を前記２つの観測実行手段に対して切り換えて出力するようにした通信観測方法。
【発明の詳細な説明】
【０００１】
【発明の属する技術分野】
本発明は、複数の送信アンテナで選択的に無線送信される通信電波を無線受信して通信状態を観測する通信観測装置および方法に関する。
【０００２】
【従来の技術】
現在、一般に携帯電話が普及しており、携帯電話と無線通信する基地局が各所に設置されている。そこで、このような基地局から無線送信される通信電波を無線受信して通信状態を観測する必要があり、これを実現する通信観測装置が、例えば、特開平９−１３３７２１号公報に開示されている。
【０００３】
ここで、このような通信観測装置の一従来例を図４を参照して以下に説明する。なお、同図は通信観測装置を示す模式的なブロック図である。この通信観測装置１は、一個の固定アンテナ２と一個の走査アンテナ３とを具備しており、これらのアンテナ２，３により、基地局の送信アンテナから無線送信される通信電波を無線受信して電気信号に変換する。ただし、固定アンテナ２は、所定位置に固定されているが、走査アンテナ３は、固定アンテナ２とは相違する位置を走査移動する。
【０００４】
これらのアンテナ２，３が信号干渉手段である一個の信号干渉装置４に共通に接続されており、この信号干渉装置４に信号検波装置５と観測実行手段に相当するデータ処理装置６とが順番に接続されている。信号干渉装置４は、固定アンテナ２と走査アンテナ３とが出力する電気信号を干渉させて干渉信号を生成する。
【０００５】
信号検波装置５は、信号干渉装置４により生成された干渉信号の振幅と位相とを測定する。データ処理装置６は、信号干渉装置４や信号検波装置５が出力する各種データを保存し、例えば、ホログラム原理に基づいた演算処理により通信電波の到来方向などをデータ出力する。
【０００６】
上述のような構造の通信観測装置１は、無線送信される通信電波を無線受信して通信状態を観測することができる。その場合、無線送信される通信電波を位置不動の固定アンテナ２と走査移動する走査アンテナ３とで無線受信して電気信号に変換し、これらのアンテナ２，３が出力する電気信号を信号干渉装置４で干渉させて干渉信号を生成する。
【０００７】
すると、この干渉信号の振幅や位相が信号検波装置５により測定されるので、この測定結果などに対応してデータ処理装置６が通信電波の到来方向などをホログラム原理に基づいて検出する。
【０００８】
なお、このようなホログラム原理は、上記公報の他にも“「音波ホログラフィと騒音源探査」上羽貞行、計測と制御第１６巻第５号、pp.427〜433、1977年”や“「電波伝搬可視化のための二周波ＣＷ複素ホログラフィの応用」北吉均、信学技法、pp.92〜122、1993年01月”などに開示されている。
【０００９】
【発明が解決しようとする課題】
上述した通信観測装置１は、固定アンテナ２と走査アンテナ３との出力信号を干渉させることにより、ホログラム原理により無線電波の通信状態を観測することができる。
【００１０】
ただし、現在の携帯電話の基地局は、同図に示すように、通信状況を良好に維持するために無線送信に空間ダイバシチを適用しているため、位置が相違する複数の送信アンテナを適宜切り換えている。しかし、上述した通信観測装置１では、基地局による複数の送信アンテナの切り換えに対応する機能がないため、複数の送信アンテナの観測結果が混在することになり、複数の送信アンテナの送信性能を個々に評価するようなことができない。
【００１１】
本発明は上述のような課題に鑑みてなされたものであり、空間ダイバシチが適用された複数の送信アンテナとの通信状態を個々に観測することができるデータ処理方法および装置を提供することを目的とする。
【００１２】
【課題を解決するための手段】
本発明の第一の通信観測装置は、
位置が相違する複数の送信アンテナの一個から選択的に無線送信される通信電波を固定された位置で無線受信して電気信号に変換する固定アンテナと、
該固定アンテナとは相違する位置を走査移動されながら通信電波を無線受信して電気信号に変換する走査アンテナと、
前記固定アンテナと前記走査アンテナとが出力する電気信号を干渉させて干渉信号を生成する信号干渉手段と、
該信号干渉手段により生成された干渉信号に基づいてホログラム原理により通信状態を観測する２つの観測実行手段と、
前記固定アンテナが出力する電気信号の振幅の変化を検出する変化検出手段と、
該変化検出手段の検出に対応して前記２つの観測実行手段に対して観測に利用する干渉信号を切り換えて出力する信号切換手段と、を具備している。
【００１３】
従って、本発明の通信観測装置による通信観測方法では、位置が相違する複数の送信アンテナの一個から選択的に無線送信される通信電波を、位置が固定された固定アンテナにより無線受信して電気信号に変換するとともに、走査移動する走査アンテナにより無線受信して電気信号に変換する。固定アンテナと走査アンテナとが出力する電気信号を信号干渉手段により干渉させて干渉信号を生成し、２つの観測実行手段にてこの干渉信号に基づいて観測実行手段がホログラム原理により通信状態を観測する。ただし、固定アンテナが出力する電気信号の振幅の変化を変化検出手段が検出し、この検出に対応して観測実行手段が観測に利用する干渉信号を２つの観測実行手段に対して信号切換手段が切り換えて出力する。固定アンテナで無線受信される通信電波は、直接波のみからなることが理想であるが、実際には各所で反射された多数の反射波が混在したマルチパスの合成波である。このようなマルチパスの合成波は送信アンテナの位置が変化すると固定アンテナで無線受信される振幅が変化するので、本発明の通信観測装置による通信観測方法では、上述のように固定アンテナが出力する電気信号の振幅の変化を検出し、この検出に対応して通信状態の観測に利用する干渉信号を切り換えることにより、通信状態の観測を複数の送信アンテナごとに実行する。
【００１４】
本発明の第二の通信観測装置では、
位置が相違する複数の送信アンテナの一個から選択的に無線送信される通信電波を各々固定された複数の位置で無線受信して電気信号に変換する複数の固定アンテナと、
該固定アンテナとは相違する位置を走査移動されながら通信電波を無線受信して電気信号に変換する走査アンテナと、
複数の前記固定アンテナの少なくとも一個と前記走査アンテナとが出力する電気信号を干渉させて干渉信号を生成する信号干渉手段と、
該信号干渉手段により生成された干渉信号に基づいてホログラム原理により通信状態を観測する２つの観測実行手段と、
複数の前記固定アンテナが個々に出力する電気信号の位相の差分の変化を検出する変化検出手段と、
該変化検出手段の検出に対応して前記２つの観測実行手段に対して観測に利用する干渉信号を切り換えて出力する信号切換手段と、を具備している。
【００１５】
従って、本発明の通信観測装置による通信観測方法では、位置が相違する複数の送信アンテナの一個から選択的に無線送信される通信電波を、複数の位置に個々に固定された複数の固定アンテナにより無線受信して電気信号に変換するとともに、走査移動する走査アンテナにより無線受信して電気信号に変換する。固定アンテナの少なくとも一個と走査アンテナとが出力する電気信号を信号干渉手段により干渉させて干渉信号を生成し、２つの観測実行手段にてこの干渉信号に基づいて観測実行手段がホログラム原理により通信状態を観測する。ただし、複数の固定アンテナが個々に出力する電気信号の位相の差分の変化を変化検出手段が検出し、この検出に対応して観測実行手段が観測に利用する干渉信号を２つの観測実行手段に対して信号切換手段が切り換えて出力する。固定アンテナで無線受信される通信電波は、直接波のみからなることが理想であるが、実際には各所で反射された多数の反射波が混在したマルチパスの合成波である。このようなマルチパスの合成波は送信アンテナの位置が変化すると複数の位置での受信位相が相互に変化するので、本発明の通信観測装置による通信観測方法では、上述のように複数の固定アンテナが出力する電気信号の位相の差分の変化を検出し、この検出に対応して通信状態の観測に利用する干渉信号を切り換えることにより、通信状態の観測を複数の送信アンテナごとに実行する。
【００１６】
また、上述のような通信観測装置において、前記変化検出手段が、複数の前記固定アンテナが個々に出力する電気信号を干渉させて第二の干渉信号を生成する第二の信号干渉手段と、該第二の信号干渉手段により生成された第二の干渉信号から複数の電気信号の位相の差分の変化を検出する信号処理手段と、を具備していることも可能である。
【００１７】
この場合、複数の固定アンテナが個々に出力する電気信号を第二の信号干渉手段が干渉させて第二の干渉信号を生成し、この第二の干渉信号から信号処理手段が複数の電気信号の位相の差分の変化を検出する。このように干渉信号から位相を検出することはホログラム原理により実行されるので、これで複数の固定アンテナが出力する電気信号の位相の差分の変化が検出される。
【００１８】
また、上述のような通信観測装置において、前記固定アンテナが出力する電気信号を復調する信号復調手段と、該信号復調手段の復調結果に対応して前記信号切換手段の切換動作を制御する動作制御手段とを、さらに具備していることも可能である。
【００１９】
この場合、固定アンテナが出力する電気信号を信号復調手段が復調し、この復調結果に対応して動作制御手段が信号切換手段の切換動作を制御する。例えば、無線通信がＴＤＭＡ(Time Division Multiple Access)方式で実行される場合、通信状態の観測は基地局がバースト波を送信するタイミングで実行する必要がある。そこで、上述のように通信電波から変換された電気信号を復調し、その結果に対応して干渉信号の切換動作を制御すれば、ＴＤＭＡ方式のバースト波が送信されたタイミングで干渉信号から通信状態を観測することも可能となる。
【００２０】
なお、本発明で云う各種手段は、その機能を実現するように形成されていれば良く、例えば、専用のハードウェア、適正な機能がプログラムにより付与されたコンピュータ、適正なプログラムによりコンピュータの内部に実現された機能、これらの組み合わせ、等を許容する。
【００２１】
【発明の実施の形態】
本発明の実施の第一の形態を図１を参照して以下に説明する。ただし、本実施の形態に関して前述した一従来例と同一の部分は、同一の名称を使用して詳細な説明は省略する。なお、同図は本実施の形態の通信観測装置を示す模式的なブロック図である。
【００２２】
本実施の形態の通信観測装置１１も、一従来例として前述した通信観測装置１と同様に、一個の固定アンテナ１２と一個の走査アンテナ１３とが信号干渉手段である一個の信号干渉装置１４に共通に接続されており、この信号干渉装置１４には、信号検波装置１５と観測実行手段に相当するマイクロコンピュータ１６，１７とが順番に接続されている。
【００２３】
ただし、このマイクロコンピュータ１６，１７は二個が並列に設けられており、一個の信号検波装置１５に信号切換手段である切換スイッチ１８を介して接続されている。そして、固定アンテナ１２には、上述の信号干渉装置１４と並列に変化検出手段に相当する切換制御装置１９も接続されており、この切換制御装置１９が切換スイッチ１８の制御端子に接続されている。
【００２４】
切換制御装置１９は、例えば、Ａ／Ｄ(Analog／Digital)コンバータや演算処理回路からなり、固定アンテナ１２が出力する電気信号の振幅の変化を検出する。切換スイッチ１８は、切換制御装置１９の検出に対応して信号検波装置１５に対するマイクロコンピュータ１６，１７の接続を切り換えることにより、信号検波装置１５にて生成された干渉信号を観測するマイクロコンピュータ１６，１７を切り換える。
【００２５】
上述のような構成において、本実施の形態の通信観測装置１１による通信観測方法でも、一従来例の通信観測装置１と同様に、無線送信される通信電波を無線受信して通信状態を観測することができる。その場合、無線送信される通信電波を位置不動の固定アンテナ１２と走査移動する走査アンテナ１３とで無線受信して電気信号に変換し、これらのアンテナ１２，１３が出力する電気信号を信号干渉装置１４で干渉させて干渉信号を生成する。
【００２６】
すると、この干渉信号の振幅や位相が信号検波装置１５により測定されるので、この測定結果などに対応してマイクロコンピュータ１６，１７が通信電波の到来方向などをホログラム原理に基づいて検出する。
【００２７】
これで通信状態をホログラム原理により観測できることになるが、同図に示すように、基地局が空間ダイバシチを適用して位置が相違する複数の送信アンテナを適宜切り換える場合、この複数の送信アンテナごとに通信状態を観測する必要がある。
【００２８】
そこで、本実施の形態の通信観測装置１１では、上述のように通信状態を観測するとき、固定アンテナ１２が出力する電気信号の振幅の変化を切換制御装置１９で検出し、この検出に対応して切換スイッチ１８が二個のマイクロコンピュータ１６，１７を切り換える。
【００２９】
固定アンテナ１２で無線受信される通信電波は、直接波のみからなることが理想であるが、実際には各所で反射された多数の反射波が混在したマルチパスの合成波であり、このようなマルチパスの合成波は送信アンテナの位置が変化すると固定アンテナ１２で無線受信される振幅が変化する。
【００３０】
本実施の形態の通信観測装置１１による通信観測方法では、上述のように固定アンテナ１２が出力する電気信号の振幅の変化を検出し、この検出に対応して通信状態の観測に利用する干渉信号を切り換える。このため、通信状態の観測を複数の送信アンテナごとに実行することができ、例えば、複数の送信アンテナの送信性能を個々に評価するようなことができる。
【００３１】
なお、本発明は上記形態に限定されるものではなく、その要旨を逸脱しない範囲で各種の変形を許容する。例えば、上記形態では通信観測装置１１の各種手段が各々専用のハードウェアとして形成されていることを例示したが、適正なソフトウェアをコンピュータに実装して動作させることにより、通信観測装置１１の各種手段を実現することも可能であり、一部をソフトウェアで実現するとともに一部をハードウェアとして形成することも可能である。
【００３２】
例えば、上記形態では干渉信号からホログラム原理により通信状態を観測する観測実行手段として独立した二個のマイクロコンピュータ１６，１７を例示し、これを切り換える信号切換手段として切換スイッチ１８を例示したが、これらの手段を一個のコンピュータ装置にソフトウェアで論理的に形成することも可能である。
【００３３】
このような場合、固定アンテナ１２の電気信号の振幅の変化により二種類の干渉信号を区別して一個のメモリに登録し、このメモリから二個の干渉信号を個々に読み出してデータ処理を個別に実行すれば良いので、専用のハードウェアとしてマイクロコンピュータ１６，１７や切換スイッチ１８を設ける必要がない。
【００３４】
つぎに、本発明の実施の第二の形態を図２を参照して以下に説明する。ただし、この実施の第二の形態に関して上述した第一の形態と同一の部分は、同一の名称および符号を使用して詳細な説明は省略する。なお、同図は本実施の形態の通信観測装置を示す模式的なブロック図である。
【００３５】
本実施の形態の通信観測装置２１では、第一の固定アンテナ１２とは相違する位置に第二の固定アンテナ２２が固定されており、これら第一第二の固定アンテナ１２，２２が、第二の信号干渉手段である第二の信号干渉装置２３に接続されている。この信号干渉装置２３には、第二の信号検波装置２４を介して信号処理手段である切換制御装置２５が接続されており、この切換制御装置２５が切換スイッチ１８に接続されている。
【００３６】
第二の信号干渉装置２３は、複数の固定アンテナ１２，２２が個々に出力する電気信号を干渉させて第二の干渉信号を生成し、切換制御装置２５は、第二の干渉信号からホログラム原理により複数の電気信号の位相の差分の変化を検出して切換スイッチ１８を切換制御する。
【００３７】
上述のような構成において、本実施の形態の通信観測装置２１による通信観測方法でも、前述した通信観測装置１１と同様に、無線送信される通信電波を無線受信して通信状態を観測することができ、この観測を複数の送信アンテナごとに区別して実行することができる。
【００３８】
その場合、本実施の形態の通信観測装置２１による通信観測方法では、二個の固定アンテナ１２，２２が出力する電気信号を第二の信号干渉装置２３で干渉させて第二の干渉信号を生成し、この第二の干渉信号から切換制御装置２５で複数の電気信号の位相の差分の変化を検出して切換スイッチ１８を切換制御する。
【００３９】
つまり、前述のように固定アンテナ１２，２２で無線受信される通信電波はマルチパスの合成波であり、このようなマルチパスの合成波は送信アンテナの位置が変化すると複数の位置での受信位相も相互に変化する。
【００４０】
本実施の形態の通信観測装置２１による通信観測方法では、上述のように位置が相違する複数の固定アンテナ１２，２２が出力する電気信号の位相の差分の変化を検出し、この検出に対応して通信状態の観測に利用する干渉信号を切り換えるので、通信状態の観測を複数の送信アンテナごとに実行することができる。
【００４１】
なお、上記形態では固定アンテナ１２，２２を二個として二つの電気信号の位相の差分から送信アンテナの切り換えを検出することを例示したが、このような固定アンテナを三個以上とするとともに第二の信号干渉装置も二個以上とすることも可能である。このような場合、送信アンテナの切り換えの検出結果も複数となるので、例えば、複数の検出結果の論理和や論理積に対応して送信アンテナの切り換えを判定すれば良い。
【００４２】
また、上述した実施の第一の形態では送信アンテナの切り換えを振幅変化で検出しており、第二の形態では位相変化で検出しているので、これらは相互に特性や構造などが相違している。このため、実際に製品を製造する場合には、必要な特性などの各種条件を考慮して一方を選択することが好ましい。ただし、実施の第一第二の形態の機構の両方を一個の通信観測装置に設け、二つの検出結果の論理和や論理積に対応して送信アンテナの切り換えを判定するようなことも可能である。
【００４３】
つぎに、本発明の実施の第三の形態を図３を参照して以下に説明する。ただし、この実施の第三の形態に関して上述した第二の形態と同一の部分は、同一の名称および符号を使用して詳細な説明は省略する。なお、同図は本実施の形態の通信観測装置を示す模式的なブロック図である。
【００４４】
本実施の形態の通信観測装置３１では、第一の固定アンテナ１２に第一第二の信号干渉装置１４，２３と並列に信号復調手段であり動作制御手段である信号復調装置３２が接続されており、この信号復調装置３２が、第一第二の信号検波装置２４と切換制御装置２５とに接続されている。
【００４５】
信号復調装置３２は、固定アンテナ１２が出力する電気信号を復調し、この復調結果に対応して信号検波装置２４と切換制御装置２５とを動作制御する。より具体的には、ＴＤＭＡ方式で変調された電気信号を復調してＩＤ(Ｉdentity)コードを識別し、このＩＤコードに対応したタイミングに信号検波装置２４と切換制御装置２５との動作を制御する。
【００４６】
上述のような構成において、本実施の形態の通信観測装置３１による通信観測方法では、前述した通信観測装置２１と同様に通信状態を良好に観測することができるが、特に、ＴＤＭＡ方式で変調された通信電波による通信状態を良好に観測することができる。
【００４７】
その場合、固定アンテナ１２が出力する電気信号を信号復調装置３２がＴＤＭＡ方式で復調し、そのＩＤコードの検出タイミングに同期して信号検波装置２４と切換制御装置２５とを動作制御する。これで切換スイッチ１８によるマイクロコンピュータ１６，１７の切換動作もＴＤＭＡ方式のバースト波の送信タイミングに同期するので、ＴＤＭＡ方式で変調された通信電波による通信状態を良好に観測することができる。
【００４８】
なお、送信アンテナが切り換えられると固定アンテナ１２での受信レベルも変化するので、例えば、この固定アンテナ１２の受信レベルを信号復調装置３２などで検出し、この受信レベルに対応して信号検波装置１５の出力信号の振幅レベルを補正するようなことも可能である。
【００４９】
【発明の効果】
本発明は以上説明したように構成されているので、以下に記載するような効果を奏する。
【００５０】
本発明の第一の通信観測装置による通信観測方法では、固定アンテナが出力する電気信号の振幅の変化を変化検出手段が検出し、この検出に対応して観測実行手段が観測に利用する干渉信号を信号切換手段が切り換えることにより、
送信位置の変化による受信振幅の変化を利用して通信状態の観測に利用する干渉信号を切り換えるので、通信状態の観測を複数の送信アンテナごとに実行することができる。
【００５１】
本発明の第二の通信観測装置による通信観測方法では、複数の固定アンテナが個々に出力する電気信号の位相の差分の変化を変化検出手段が検出し、この検出に対応して観測実行手段が観測に利用する干渉信号を信号切換手段が切り換えることにより、
送信位置の変化による複数の受信位置での位相の差分の変化を利用して通信状態の観測に利用する干渉信号を切り換えるので、通信状態の観測を複数の送信アンテナごとに実行することができる。
【００５２】
また、上述のような通信観測装置において、複数の固定アンテナが個々に出力する電気信号を第二の信号干渉手段が干渉させて第二の干渉信号を生成し、この第二の干渉信号から信号処理手段が複数の電気信号の位相の差分の変化を検出することにより、
複数の固定アンテナが出力する電気信号の位相をホログラム原理により検出することができる。
【００５３】
また、上述のような通信観測装置において、固定アンテナが出力する電気信号を信号復調手段が復調し、この復調結果に対応して動作制御手段が信号切換手段の切換動作を制御することにより、
例えば、ＴＤＭＡ方式などで変調された通信電波による通信状態を良好に観測することができる。
【図面の簡単な説明】
【図１】本発明の実施の第一の形態の通信観測装置を示すブロック図である。
【図２】本発明の実施の第二の形態の通信観測装置を示すブロック図である。
【図３】本発明の実施の第三の形態の通信観測装置を示すブロック図である。
【図４】一従来例の通信観測装置を示すブロック図である。
【符号の説明】
１１，２１，３１    通信観測装置
１２，２２    固定アンテナ
１３    走査アンテナ
１４，２３    信号干渉手段である信号干渉装置
１６，１７    観測実行手段に相当するマイクロコンピュータ
１８    信号切換手段である切換スイッチ
１９    変化検出手段に相当する切換制御装置
２５    信号処理手段である切換制御装置
３２    信号復調手段であり動作制御手段である信号復調装置
【図１】
0003677148.tif 000002
【図２】
0003677148.tif 000003
【図３】
0003677148.tif 000004
【図４】
0003677148.tif 000005